(57)【要約】  本発明は、プレイリストに基づきユーザプロファイルを生成する方法（および対応する装置）に関し、当該ユーザプロファイルは、ユーザ自身のプレイリストとそれから導出されたプロパティに基づき生成される。このように、より多くのプレイリストがユーザプロファイルの生成において考慮され、このため、より信頼できるユーザプロファイルが生成される。さらに、本プロセス（すなわち、本方法）は、自動化され、既知の情報を利用する。考慮される特徴は、出現頻度、プレイリストの作成日、及び１以上のプレイリストのコンテンツアイテム（楽曲、映像など）間の関係である。
2007528038.tif 000002
【特許請求の範囲】
【請求項１】
所与のユーザに属する少なくとも１つのプレイリストを有する第１の一組のプレイリストを自動取得したメディア装置上において前記所与のユーザのユーザプロファイルを生成する方法であって、
前記第１の一組のプレイリストを解析し、前記プレイリストの性質を表現するいくつかのプレイリスト特徴を導出するステップと、
前記解析された第１の一組のプレイリストと前記導出されたプレイリスト特徴とに基づき前記ユーザプロファイルを生成するステップと、
を有することを特徴とする方法。
【請求項２】
請求項１記載の方法であって、さらに、
前記ユーザに属する少なくとも１つのプレイリストを有する第２の一組のプレイリストから前記第１の一組のプレイリストを選択するステップを有することを特徴とする方法。
【請求項３】
請求項１または２記載の方法であって、
前記いくつかのプレイリスト特徴は、
テンポ変化を表す特徴と、
何人かのアーチストを表す特徴と、
相対テンポ差を表す特徴と、
１以上の選好されるジャンルを表す１以上の特徴と、
いくつかのジャンル変更を表す特徴と、
あるジャンル変更の有無を表す特徴と、
楽曲間の真偽ジャンル変更の変更数を表す特徴と、
の１以上を有することを特徴とする方法。
【請求項４】
請求項１乃至３何れか一項記載の方法であって、さらに、
前記ユーザプロファイルに基づき少なくとも１つの推奨されたプレイリストを生成するステップを有することを特徴とする方法。
【請求項５】
請求項４記載の方法であって、
ベイズ解析及び推奨方法が利用されることを特徴とする方法。
【請求項６】
請求項１乃至５何れか一項記載の方法であって、
前記第１の一組のプレイリストの各プレイリストは、メタデータを有する楽曲や映像などのコンテンツアイテムの順序付けされたリストを有することを特徴とする方法。
【請求項７】
請求項６記載の方法であって、
前記メタデータは、タイトル、アーチスト、ジャンル、テンポ及びリリース年を有することを特徴とする方法。
【請求項８】
請求項１乃至７何れか一項記載の方法であって、
前記生成されたユーザプロファイルは、前記ユーザにより好まれ及び／または好まれない楽曲や映像などのコンテンツアイテムの具体例のコレクション、前記ユーザにより好まれ及び／または好まれない遷移のコレクション、及び前記ユーザにより好まれ及び／または好まれないプレイリストのコレクションを有することを特徴とする方法。
【請求項９】
請求項１乃至８何れか一項記載の方法であって、
前記ユーザプロファイルはさらに、プレイリストの分類的コンテンツメタデータの計数及び／またはパーセント、及びプレイリストの数値的コンテンツメタデータの平均及び／または分散を有することを特徴とする方法。
【請求項１０】
請求項１乃至９何れか一項記載の方法であって、
前記メディア装置は、ジュークボックス、セットトップボックス、テレビ、ＰＣ、ＤＶＤプレーヤー、（携帯型）ハードディスクレコーダ、ソリッドステート装置、ラジオまたはＶＣＲであることを特徴とする方法。
【請求項１１】
請求項１乃至１０何れか一項記載の方法であって、
各コンテンツアイテムは、
画像及び音声信号を含むＤＶＤ  ＭＰＥＧプログラムストリーム、
画像及び音声信号を含むＢｌｕ−Ｒａｙ  ＭＰＥＧトランスポートストリーム、
ＣＤ音声信号、
与えられたデジタルオーディオフォーマット（ＭＰ３、ＷＭＡ、Ｒｅａｌ  Ａｕｄｉｏ、ＷＡＶなど）、
与えられたデジタルムービーフォーマット（ＤｉｖＸ、ＤＶＤ／ＭＰＥＧ２、Ａｖｉ、ｗｍｆ、ＭＯＶ、Ｒｅａｌ  Ｖｉｄｅｏなど）、
与えられたピクチャフォーマット（ＪＰＥＧ、ＧＩＦ、ＢＭＰ、ＴＩＦＦなど）及び／または
・Ｇ７２ｘ、ａｉｆｆ、ｒｅａｌなどの音声信号及び／または画像を装置に発信可能な何れかのフォーマット、
のグループから選択された１以上を有することを特徴とする方法。
【請求項１２】
所与のユーザに属する少なくとも１つのプレイリストを有する第１の一組のプレイリストを自動取得し、前記所与のユーザのユーザプロファイルを生成するメディア装置であって、
前記第１の一組のプレイリストを解析し、前記プレイリストの性質を表現するいくつかのプレイリスト特徴を導出する手段と、
前記解析された第１の一組のプレイリストと前記導出されたプレイリスト特徴とに基づき前記ユーザプロファイルを生成する手段と、
を有することを特徴とするメディア装置。
【請求項１３】
請求項１乃至１１何れか一項記載の方法を実行することを特徴とするコンピュータシステム。
【請求項１４】
コンピュータ上での実行時に、請求項１乃至１１何れか一項記載の方法を実行するコンピュータ可読媒体に格納されたプログラムコード手段を有することを特徴とするコンピュータプログラム。
【発明の詳細な説明】
【技術分野】
【０００１】
本発明は、一組のプレイリストを取得したメディア装置上でのユーザプロファイルを生成する方法に関する。
【０００２】
さらに、本発明の他の特徴は、推奨されたプレイリストの生成に関する。
【０００３】
本発明はまた、上記方法を実行するコンピュータシステム及びコンピュータプログラムプロダクツに関する。
【０００４】
さらに、本発明は、上記方法が実行可能なメディア装置に関する。
【背景技術】
【０００５】
ＵＳ２００２／００４０３２６は、モバイル装置へのダウンロード用の分類されたコンテンツアイテムを選択する方法を開示している。当該方法は、モバイル装置上でのコンテンツアイテムの提供、再生及び視覚表示をモニタする。コンテンツアイテムは、データストリームとしてモバイル装置にダウンロード可能な任意のメディアタイプ（ＭＰ３など）のアイテムである。
【０００６】
例えば、対応するユーザプロファイルの形式によるユーザ選好を用いて、コンテンツをユーザに推奨することが当該技術分野では知られている。このコンテンツは、楽曲、映画などであってもよい。ユーザ選好及びユーザプロファイルは、ユーザが自らの嗜好に合うコンテンツを選択または推奨することに役立つ迅速な機能アイテムである。特に、当該選好及びユーザプロファイルは、ＣＤプレーヤー、ラジオ、パーソナルコンピュータなどのメディアプレーヤー上でのソフトウェアツールや追加機能として適用されたとき、利用可能な大量のコンテンツの中から適切なメディアコンテンツを選択し、これにより情報超過を回避するという時間のかかる作業からユーザを解放する。なぜならば、インターネット、放送会社、レコード会社及び映画産業はインターネット上などに大量かつ増加傾向にある各種コンテンツと、当該コンテンツのとしてのＭＰ３ファイルなどを提供しているためである。
【０００７】
従来技術によるユーザ選好を取得する作業は、１）ユーザにコンテンツの格付けを明示的に問い合わせ、及び／または（２）コンテンツが再生などされると、コンテンツの実際の使用を観察する、という２つのアプローチを用いることにより典型的には実行される。
【０００８】
しかしながら、１つのプレイリストは、典型的には部分的興味を表現するのにしか利用可能でない。例えば、１つのプレイリストはロックコンテンツへの興味を表し、他のプレイリストはオペラなどの映画コンテンツへの興味を表し、さらなる他のプレイリストは、連続ドラマのテレビ放送などへの興味を表す。言い換えると、１つのプレイリストは、上記具体例では、ロックコンテンツ、オペラ映画や連続ドラマのテレビ放送などの専用コンテンツエリアへの部分的なユーザ興味に対する不完全な単なる部分的な表現とすることができる。
【発明の開示】
【発明が解決しようとする課題】
【０００９】
１つのプレイリストは複数かつ様々なコンテンツエリアにおける広いユーザ興味を（実際には、それの所有者及びユーザにより選好される）必ずしも表現するものでないという問題点がある。
【００１０】
さらに、コンテンツを再生する装置は、典型的には誰が当該コンテンツを実際に視聴するか登録していないため、コンテンツの使用を観察する作業は信頼性が低く、再生されるコンテンツに介する明示的な格付けの照会は、ユーザにさらなる時間を要する負担（格付け応答を与えるため）を課すというさらなる問題点がある。
【００１１】
現在の推奨装置（具体例から学習する）の問題点は、それらがユーザにより構成されたプレイリストを効率的に解析するものではないということである。推奨装置は、ユーザによりプレイリストがどのように作成されるかを解析するものではない。既知の推奨装置は、シンプルすぎる方法によりプレイリストに合成されるベストの１０個のアイテムなど個々のアイテムを推奨する。
【００１２】
従って、本発明の課題は、異なるプレイリストの特徴に関するユーザ選好についての情報を含む信頼できるユーザプロファイルを自動生成することである。他の課題は、上述の従来技術による課題を解決することである。本発明のさらなる課題は、ユーザプレイリストに基づきユーザ選好を決定することである。
【課題を解決するための手段】
【００１３】
上記課題は、所与のユーザに属する少なくとも１つのプレイリストを有する第１の一組のプレイリストを自動取得したメディア装置上において前記所与のユーザのユーザプロファイルを生成する方法であって、前記第１の一組のプレイリストを解析し、前記プレイリストの性質を表現するいくつかのプレイリスト特徴を導出するステップと、前記解析された第１の一組のプレイリストと前記導出されたプレイリスト特徴とに基づき前記ユーザプロファイルを生成するステップとを有することを特徴とする方法（及び対応するメディア装置）により達成される。
【００１４】
本発明による効果的な実施例が、従属クレームにより規定される。
【００１５】
従って、生成された信頼できるユーザプロファイルが、選好されるコンテンツのおそらく以降の再生前に、ユーザが与えられたメディア装置上の推奨された選好されるコンテンツであり、及び／または選択することに役立つ迅速な機能アイテムとして適用可能である。
【発明の効果】
【００１６】
本発明の一効果は、複数のプレイリスト及びその追加的なプロパティがユーザプロファイルの生成において考慮され、これにより、より完全なユーザの興味及び信頼できるユーザファイルを形成及び表現することができるということである。
【００１７】
さらに、本発明の一効果は、本プロセス（すなわち、本方法）が自動化され、既知の情報、すなわち既に取得されたプレイリストを用いるということである。ユーザは典型的には大量の時間と作業を費やし、ユーザが好む楽曲や他のコンテンツのプレイリストを手動により生成するため、これらのプレイリストにより与えられる選好情報は、高いクオリティを有する可能性が最も高くなる。
【００１８】
さらに、本方法は、システム、メディア装置及び／またはプレイリストを自動検索するソフトウェアプログラムとして実現することが可能である。このとき、当該システム、メディア装置及び／またはプログラムが、ユーザプロファイルを生成するため、これらのプレイリストの解析を行うことが可能となる。
【００１９】
好ましくは、考慮された特徴は、出現頻度、プレイリストの作成日、及び１以上のプレイリストにおけるコンテンツアイテム（楽曲、ビデオなど）間の関係である。
【００２０】
拡張として、本システム、メディア装置及び／またはプログラムは、インターネット上のプレイリストの存在をチェックしたり、あるいは手動作成中にプレイリストをタグ付けすることにより、手動生成されたプレイリストとコマーシャルプレイリスト（すなわち、アルバム）とを区別することができる。
【００２１】
本発明のさらなる効果は、ユーザによるプロファイル作業が不要となることである。
【００２２】
本発明のさらなる効果は、情報クオリティは従来知られている再生観察より高くなることが期待されるため、既に作成されたプレイリストが用いられることである。
【００２３】
コンピュータシステムとメディア装置はそれぞれ、同じ効果を提供し、本方法に関して上述されたものと同じ理由のため、同一の問題を解決する。
【発明を実施するための最良の形態】
【００２４】
図１は、プレイリストを有するメディア装置上でのユーザプロファイルを生成する方法を示す。当該メディア装置は、プレイリストからのコンテンツ及び／またはユーザプロファイルからの推奨されたコンテンツを再生可能なジュークボックス、セットトップボックス、テレビ、ＰＣ、ＤＶＤプレーヤー、ラジオ、ＶＣＲなどであってもよい。
【００２５】
プレイリストは、音楽（楽曲）などの順序付けされたリストである。それは、画像（映像）などに加えて、あるいはその代わりに他のコンテンツを有するものであってもよい。
【００２６】
楽曲は、それに添付または埋め込まれた音声フラグメントである（例えば、楽曲に関する情報を含むヘッダを備えたＭＰ３ファイルなど）。
【００２７】
音楽メタデータは、楽曲の特徴を記述する。典型的な楽曲特徴は、
・楽曲タイトルやアーチストなどの名目的特徴
・ジャンル、テンポ、リリース年などの分類的または数値的特徴
である。
【００２８】
また、音声信号から自動抽出される低レベルの信号特性が利用可能である。
【００２９】
これに応じて、ビデオ映画の映像特徴を記述するメタデータも同様に可能である。
【００３０】
以下の説明は、主として順序付けされた楽曲のリストを構成するプレイリストに着目したものである。しかしながら、本説明は順序付けされた映像、画像などのリストから構成されるプレイリストもまたカバーするものであるということに留意すべきである。
【００３１】
短いプレイリストは以下のようなものとすることができる。
【００３２】
【表１】
2007528038.tif 000003
対応するインデックス、ＩＤ、タイトル、アーチスト、ジャンル、テンポ、リリース年などが、映画や映画クリップなどから構成されるプレイリストに対し説明される。
【００３３】
本方法が適用される前、プレイリスト（すなわち、第２の一組のプレイリスト）がすでに取得され、メディア装置に備えられることが仮定される。しかしながら、これらは（第２の一組のプレイリスト）、異なるユーザにより取得されたものであってもよく（第１のケース）、このことが所与の１人のユーザに属するプレイリスト（すなわち、第１の一組のプレイリスト）が決定されるステップ１００の理由である。１人のユーザのみがプレイリストを取得した場合（第２のケース）、これら第１及び第２の二組のプレイリストは等しいものとなり、ステップ１００は不要となる。ステップ１００では、あるユーザのプレイリストを取得する問題は、何れのケースでも解決される。
【００３４】
ステップ１００では、メディア装置は、第２の一組のプレイリストから第１の一組のプレイリストを検索する。この結果、第１の一組のプレイリストは、当該ユーザのみに属する。この第１の一組のプレイリストは、１以上の指定されたユーザディレクトリのファイルとして分離することが可能であり、すなわち、これらのファイル（プレイリスト）はタグ付けされ、（ユーザの）プロパティ及び／または当該ユーザのみを示す他の識別情報を有する。
【００３５】
複数のユーザが当初からプレイリストを取得していた場合（第１のケース）、当該第１の一組のプレイリストは、第２の一組のプレイリストの一部となり、すべてのケースにおいて、第１の一組のプレイリストは特定のユーザにのみ属するものとなる。
【００３６】
上述のように、実際に第２の一組のプレイリストが第１の一組のプレイリストと等しいとき（第２のケース）、すなわち、これらの二組のプレイリストが同一の作成者、所有者またはユーザに属するとき、ステップ１００は不要である。この場合、第１の一組のプレイリストは、メディア装置に格納されているプレイリストに等しくなり、これにより、各組を処理する必要はなくなる。
【００３７】
何れのケースにおいても、当該ユーザに属する取得された第１の一組のプレイリストにより本方法はステップ２００に移行する。
【００３８】
ステップ２００において、第１の一組のプレイリストが解析される。この解析は、後述されるような様々な方法により実行可能である。
【００３９】
一般に、ユーザがプレイリストを選好しているか否かは、
１）プレイリストの楽曲
２）プレイリストの楽曲とバリエーションの結合
３）プレイリストの楽曲の順序
に依存する。
【００４０】
プレイリストの楽曲の特徴に基づき、プレイリスト特徴が個別の楽曲についてではなく、リスト全体のプロパティを表現することにより構成可能である。例えば、
・テンポ変化
・アーチスト数
などである。
【００４１】
また、楽曲特徴に基づき、プレイリストに出現する楽曲遷移のプロパティを表現する遷移特徴が構成可能である。例えば、楽曲１と楽曲２の間の遷移に対して、
・相対的なテンポ差：［テンポ（楽曲２）−テンポ（楽曲１）］／テンポ（楽曲１）
・ジャンル変更：ジャンル（楽曲１）＝ジャンル（楽曲２）の場合に偽となり、それ以外の場合に真となる
言い換えると、解析結果は、プレイリストから導出される各種パラメータ、すなわち、テンポ変化、アーチスト数、相対テンポ差、１以上の選好されるジャンル、ジャンル変更数、（２つの楽曲間の）ジャンル変更が真であること、（他の２つの楽曲間の）ジャンル変更が偽であること、楽曲間の真及び偽のジャンル変更数をもたらすことができる。
【００４２】
ステップ３００において、ユーザプロファイルが生成される。それは、解析された第１の一組のプレイリスト及び各自の実際のアプリケーション、すなわち、実際の使用に基づく。ユーザプロファイルの生成は、後述されるように各種方法により実行可能である。
【００４３】
プレイリストに対するユーザの選好（評価）は、楽曲特徴、プレイリスト特徴及び遷移特徴に関して表すことができる。
【００４４】
ユーザプロファイルは、好ましくは、ユーザが好む、または好まない楽曲、遷移及びプレイリストの具体例からなり、従って、本方法の当該ステップにおける生成においてこれらのものから構成される。一例は、選好クラス「＋」（すなわち、好む）、または選好クラス「−」（すなわち、好まない）の何れかに属する。あるいは、例えば、１〜５のスケールに関する選好範囲が利用可能である。ここで、「１」は「非常に嫌い」、「５」は「非常に好き」を意味する。
【００４５】
選好例は、ユーザが自らのプレイリスト（第１の一組のプレイリスト及び使用中におけるその実際のアプリケーション）に対し実行する、あるいは実行した編集再生アクションから取得される。
【００４６】
例えば、プレイリストのアプリケーションは、プレイリストの聴取時にある楽曲をスキップすることができ、これにより、ユーザは実際にユーザプロファイルに追加されるネガティブな楽曲例を生成する（当該楽曲を好まない）。（アプリケーション及びプレイリストの使用の）ポジティブな例は、ユーザにより手動により生成されるプレイリストから取得される。これらは、リンクされた楽曲及び遷移と、ユーザにより選好される変動レベルの例を提供する。
【００４７】
基本的にユーザプロファイルは、
・ユーザが好む、または好まない楽曲のコレクション
・ユーザが好む、または好まない遷移のコレクション、
・ユーザが好む、または好まないプレイリストのコレクション
の３つのコレクションから構成されるかもしれない。
【００４８】
タイムスタンプは、好ましくは人々の音楽選好が経時的に変化するかもしれないため、選好例を最終的に削除することが可能となるよう追加される。また、タイムスタンプは選好予測の具体例を重み付けするのに利用可能であり、古い例には低いウェートを与え、新しい例には高いレートを与える。例えば、楽曲例のコレクションの一部は、以下のようなものとすることが可能である。
【００４９】
【表２】
2007528038.tif 000004
楽曲ＩＤは、以前に定義された「ＩＤ」に対応する。
【００５０】
３つのいコレクションの各々の要素に特徴が帰属されたため、ユーザの選好はこれらの特徴に関して表現することが可能であり（一般化）、新たなプレイリストの選好予測が可能となる。
【００５１】
具体例のコレクションに基づき、選好クラス（ポジティブなクラスとネガティブなクラス）の特徴が、例えば以下のような統計量に決定することにより求めることができる。
【００５２】
【表３】
2007528038.tif 000005
これらは、ネガティブな楽曲例に対する対応する同様の具体例である。
【００５３】
【表４】
2007528038.tif 000006
これに応じて、ネガティブな遷移例に対し同様の具体例がある。
【００５４】
【表５】
2007528038.tif 000007
ネガティブな遷移例に対して対応する同様の具体例がある。
【００５５】
このように、ユーザプロファイルは、プレイリストの分類的楽曲メタデータの計数、合計、パーセントなどと、プレイリストの数値的楽曲メタデータの平均及び／または分散を有する。
【００５６】
さらに、評価に従うプレイリストの特徴値が、例となるコレクションに出現する特徴値と比較される確率的アプローチが、上述のものの代わりに、あるいはそれと共に利用されてもよい。例えば、ユーザプロファイルのすべてのポジティブな楽曲例が、１９０８年代にリリースされた楽曲に対応すると仮定する。このとき、新たなプレイリストの楽曲がリリース年として１９５８年を有する場合、この特徴を考慮して、当該楽曲が選好される可能性は極めて低いものとなる。１９７５年からの楽曲は可能性が高くなり、１９８５年からの楽曲は可能性が低くなる。
【００５７】
選好確率（可能性）は、プレイリスト特徴と共に、プレイリストのすべての楽曲及び遷移のすべての特徴に対して決定することが可能である。これらすべての確率の（重み付けされた）積は、ユーザにより選好されるプレイリストの全体確率をもたらす。この確率は、０〜１のスケールに基づく選好予測として利用可能である。推奨プレイリストを構成するため、当該予測が最大となるプレイリストが構成される。他の例では、ベイズ解析及び推奨が利用されてもよい。ベイズ解析／論理は、将来確率／結果を（より良好に）予測するのに過去の確率／結果を利用することに関する。
【００５８】
さらに、例となるコレクションに検出される特徴値に基づき、プレイリストの選好予測を生成する他の（非確率的）アプローチもまた可能である。また、含まれる特徴に対して、各種選択が可能である。
【００５９】
これらの特徴は凝縮されたユーザプロファイルを形成し、新たなプレイリストに対するユーザ選好を予測し、次のステップで新たな推奨されたプレイリストを生成するのに用いられる。楽曲から構成されるプレイリストと比較して、同様の議論が映像、映像クリップまたは他の再生可能なコンテンツアイテムから構成されるプレイリストに対し可能である。すなわち、ユーザプロファイルは、以降におけるユーザプロファイル（映像などに関する）の生成により、順序付けされた映像リスト（映像クリップまたは他の再生可能なコンテンツアイテム）から構成されるプレイリストの解析に基づくものとしてもよい。
【００６０】
上記ステップの結果として、ユーザプロファイルが確立され、嗜好するコンテンツアイテム（利用可能である場合）をユーザに選択または推奨するため、ユーザに対し迅速な機能アイテム（メディア装置における）として適用可能である。その後、ユーザプロファイルは、例えば、インターネット、ＣＤやＤＶＤなどのコンピュータ可読媒体から以前にメディア装置に格納された利用可能な大量のコンテンツから適切なコンテンツアイテムを選択する作業をユーザから解放する。
【００６１】
言い換えると、コンテンツアイテムは、自動生成されたユーザプロファイルに基づき推奨されるようにしてもよく、利用可能なコンテンツがユーザプロファイルから推奨されるものと近似しているとき、同一または最も類似したジャンル、テンポ、ポジティブな選好クラスなどを有する同一または最も類似したコンテンツアイテムなどが、メディア装置から利用可能なときに推奨されるべきである。
【００６２】
本方法はさらに、ステップ４００を有するかもしれない。
【００６３】
ステップ４００において、推奨されたプレイリストが、ユーザプロファイルに基づき生成される。
【００６４】
上述のように、上記特徴は凝縮されたユーザプロファイルを形成する。本発明によると、これは新たなプレイリストに対するユーザ選好を予測し、新たに推奨されたプレイリストを生成するのに以降において利用可能である。
【００６５】
これに応じて、テンポ変化、相対テンポ変化、平均値、標準偏差などの統計量が、ステップ３００のユーザにより生成されたプロファイルから１以上の推奨されたプレイリストを構成または生成するのに適用可能である。この結果、新たに生成されたプレイリストは、ステップ１００〜３００において参照されたプレイリストと同様の構成を有するかもしれない。このようにして、多様性と一貫性を考慮することが可能である。
【００６６】
さらに、特にプレイリストのアイテム間の遷移などの他の特徴を考慮することができる。
【００６７】
言い換えると、本ステップにおける本発明の一特徴によると、最終結果として、推奨されたプレイリストが生成されるように、ユーザ選好（好き嫌いなど）から学習することである。
【００６８】
図２は、ユーザプロファイル及びコンピュータ可読媒体を生成及び適用するメディア装置を示す。当該メディア装置は、図１の方法を実現するものである。参照番号２０はメディア装置を示し、参照番号２３は、プログラムコードから構成される本方法が格納可能なコンピュータ可読媒体を示す。
【００６９】
メディア装置（２０）は、本発明に従ってメディア装置が生成されたユーザプロファイル及び新たなプレイリストを利用することができるジュークボックス、セットトップボックス、テレビ、ＰＣ、（携帯型などの）ハードディスクレコーダ、ソリッドステート装置、ＤＶＤプレーヤーラジオ、ＶＣＲなどであってもよい。さらに、ビデオや楽曲などのコンテンツアイテムを提供するメディアプロバイダが示される。参照番号２１は、複数のメディアプロバイダを示すかもしれない。コンテンツアイテムは、テレビ番組などのライブコンテンツ、要求に応じて視聴可能なビデオ、インターネット上のインタラクティブライブ放送、インターネットテレビ、インターネットサイト、映画、ラジオ放送（楽曲など）、あるいは視聴可能な他の任意のコンテンツであってもよく、当該コンテンツはおそらく以降において格納可能である。すなわち、コンテンツはメディア装置上での以降における再生及び提供に適したデータ媒体に記録可能である。より技術的な観点では、コンテンツアイテムは、例えば、
・画像及び音声信号を含むＤＶＤ  ＭＰＥＧプログラムストリーム
・画像及び音声信号を含むＢｌｕ−Ｒａｙ  ＭＰＥＧトランスポートストリーム
・ＣＤ音声信号
・与えられたデジタルオーディオフォーマット（ＭＰ３、ＷＭＡ、Ｒｅａｌ  Ａｕｄｉｏ、ＷＡＶなど）
・与えられたデジタルムービーフォーマット（ＤｉｖＸ、ＤＶＤ／ＭＰＥＧ２、Ａｖｉ、ｗｍｆ、ＭＯＶ、Ｒｅａｌ  Ｖｉｄｅｏなど）
・与えられたピクチャフォーマット（ＪＰＥＧ、ＧＩＦ、ＢＭＰ、ＴＩＦＦなど）及び／または
・Ｇ７２ｘ、ａｉｆｆ、ｒｅａｌなどの音声信号及び／または画像を装置に発信可能な何れかのフォーマット
のグループから選択された１以上から構成される。
【００７０】
典型的には、コンテンツアイテムはファイルに含まれ、複数のコンテンツアイテムがプレイリストなどにリスト可能である。
【００７１】
参照番号２４は、メディア装置（２０）の処理能力または１以上のＣＰＵを示す。ＣＰＵは、以降における抽出及び利用のため、本発明による生成されたユーザプロファイル及び変更あるいは抽出されたプレイリストによりデータベースまたはメモリを更新するようにしてもよい。
【００７２】
一般に、メディア装置（２０）は、コンテンツアイテムを提供可能（すなわち、再生及び／または表示）な装置であってもよい。コンテンツアイテムは、再生前に本発明による生成されたユーザプロファイルまたはプレイリストから選択または推奨されるようにしてもよい。
【００７３】
メディア装置（２０）はさらに、各種ユーザ入力の応答を受信／登録するためのＣＰＵ（２４）に接続されている入力手段（２６）を有するようにしてもよい。入力手段（２６）は、キーボード、マウス、リモコン、画面上メニューでのクリックによるインタラクティブメニュー、ジョイスティック、グラフィカルユーザインタフェース上などでの選択によるシンプルなプッシュボタンなどであってもよい。入力手段（２６）は、各種プレイリストの構成、手動生成中のプレイリストのタグ付け、プレイリストからの再生の開始、本発明により生成されたユーザプロファイルから示唆及び／または推奨されたコンテンツの再生などに利用可能である。
【００７４】
さらに、ユーザ入力は、本発明により生成されたユーザプロファイル及び／またはプレイリストの抽出及び／または操作するのに利用されてもよい。
【００７５】
参照番号２２は、メディア装置の１以上のユーザを示す。ユーザは、選択されると、推奨されたコンテンツアイテムを視聴するかもしれない。
【００７６】
参照番号２７は、メディアプロバイダ（２１）とのユーザ接続ポイントを示す。それは、テレビやラジオのためのアンテナソケット、モデム、ＡＤＳＬ接続、インターネットへの同様の接続、衛星受信機からのアンテナソケット、テレビ及びＶＣＲとのＳＣＡＲＴ接続、ＢｌｕｅｔｏｏｔｈまたはＩＲインタフェースなどであってもよい。所定のまたはコマーシャルプレイリストがさらに、ユーザ接続ポイントから抽出されてもよい。
【００７７】
コンピュータ可読媒体は、磁気テープ、光ディスク、デジタル多用途ディスク（ＤＶＤ）、コンパクトディスク（ＣＤ記録可能またはＣＤ書き換え可能）、ミニディスク、ハードディスク、フロッピー（登録商標）ディスク、スマートカード、ＰＣＭＣＩＡカードなどであってもよい。
【００７８】
請求項において、かっこ内の任意の参照記号は、請求項を制限するものとして解釈されるものではない。「有する」という動詞及びその派生語の使用は、請求項に記載されている以外の要素またはステップの存在を排除するものではない。要素あるいはステップに前置される不定冠詞「ある」の使用は、当該要素またはステップが複数存在することを排除するものではない。
【００７９】
本発明は、複数の要素を有するハードウェア及び適切にプログラムされたコンピュータにより実現可能である。複数の手段を列挙した装置クレームでは、これら手段のいくつかは、同一のハードウェアにより実現可能である。ある手段が互いに異なる従属クレームに記載されているという事実は、これらの手段の組み合わせが効果的に利用可能ではないということを示すものではない。
【図面の簡単な説明】
【００８０】
【図１】図１は、プレイリストを有するメディア装置上にユーザプロファイルを生成する方法を示す。
【図２】図２は、ユーザプロファイル及びコンピュータ可読媒体を生成及び適用するメディア装置を示す。
【図１】
2007528038.tif 000008
【図２】
2007528038.tif 000009
【国際調査報告】
2007528038.tif 000010
2007528038.tif 000011